(57)【要約】      （修正有）【課題】コミュニケーション活性化を自然な形で手軽にできる広告媒体を提供する。【解決手段】一枚紙の表裏の両面に印刷が施されている広告媒体で、表面に広告対象となる複数の事物が個別に対応した数字Ａと共に印刷され、裏面は複数の印刷領域に分かれ、それぞれ、表面に印刷された複数の事物の一部が印刷されていると共にＡを導出するための数字Ｂが印刷され、Ａは８〜１５のいずれかの数字でＢは１、２、４、８のいずれかであり、裏面の印刷領域は４つで、４つの印刷領域のそれぞれにＢのいずれか１つが個別に印刷されて、４つの印刷領域のそれぞれに印刷されている事物は、例えば、Ｂとして１が印刷された領域では、事物に対するＡを２進法表記した場合に１の位が１であるすべての事物であり、同様にＢとして２、４、８と行い、裏面は紙の長辺での２つ折りを３回繰り返した状態において外側の一方の面にＢとして１が、他方の面にＢとして２が表示、谷折りされた内側の面にＢとして４がもう一度開いた内側の面にＢとして８が表示される。【選択図】図２
0003225622.tif 000002
【実用新案登録請求の範囲】
【請求項１】
一枚の紙の表面と裏面の両方に印刷が施されている広告媒体であって、
前記表面には、広告対象となる複数の事物が、該事物に個別に対応した数字Ａとともに印刷されており、
前記裏面は、複数の印刷領域に分かれており、
前記複数の印刷領域のそれぞれには、前記表面に印刷された複数の事物の一部が印刷されているとともに、前記数字Ａを導出するための数字Ｂが印刷されていることを特徴とする広告媒体。
【請求項２】
前記数字Ａは、８〜１５のいずれかの数字であり、
前記数字Ｂは、１、２、４、８のいずれかの数字であり、
前記裏面の前記印刷領域は４つであり、該４つの印刷領域のそれぞれに前記数字Ｂのいずれか１つが個別に印刷されており、
前記４つの印刷領域のそれぞれに印刷されている前記事物は、（１）前記数字Ｂとして１が印刷された領域では、該事物に対応する数字Ａを２進法表記した場合に１の位が１である全ての事物であり、（２）前記数字Ｂとして２が印刷された領域では、該事物に対応する数字Ａを２進法表記した場合に２の位が１である全ての事物であり、（３）前記数字Ｂとして４が印刷された領域では、該事物に対応する数字Ａを２進法表記した場合に４の位が１である全ての事物であり、（４）前記数字Ｂとして８が印刷された領域では、該事物に対応する数字Ａを２進法表記した場合に８の位が１である全ての事物である、ことを特徴とする請求項１記載の広告媒体。
【請求項３】
前記裏面は、前記紙の長辺での２つ折りを３回繰り返した状態において、外側を向いている一方の面に前記数字Ｂとして１が、他方の面に前記数字Ｂとして２が表示され、谷折りされた内側の面に前記数字Ｂとして４が、さらにもう一度開いた内側の面に前記数字Ｂとして８が表示されていることを特徴とする請求項２記載の広告媒体。
【請求項４】
前記広告媒体を用いて、被験者に前記表面に印刷される複数の事物のうちの一つを選択させた後、
前記裏面の複数の印刷領域のそれぞれにおいて、表面にて選択した事物の有無を回答させることで、前記数字Ｂに基づき実演者が被験者の選択した事物の数字Ａを導出して当てることができることを特徴とする請求項１から請求項３までのいずれか１項記載の広告媒体。
【考案の詳細な説明】
【技術分野】
【０００１】
本考案は、手品の要素を盛り込むことで、需要者の興味を引くことができる広告媒体に関する。
【背景技術】
【０００２】
企業や、自治体、事業協同組合などの各種団体は、一般消費者向けに商品や役務の提供、または会社同士のビジネス機会の創出を目的として、様々なイベントを開催する。
このようなイベントにおいては、提供される商品や、役務、出展者を紹介するため、チラシなどの広告媒体が配布される。広告媒体の配布は、イベント会場において来場者へ直接手渡しで配布されることもあれば、主催者ホームページ上からインターネットによりダウンロードし、印刷した紙を参加者が持参する場合もある。これらは、イベントの内容を周知する目的に対しては一定の効果があるものの、一方向的な情報提供に留まりやすい。
【０００３】
主催者にとってのイベントの成否は、当該イベントにおける来場者数や、販売総額、滞在時間などの増大、または新たな取引、新たな取り組みの発生数が評価基準となり得る。イベントが成功するための因子は複数あると考えられるが、参加者がイベントを楽しみ、参加者同士で活発なコミュニケーションが図られることは、重要な因子の一つであると考えられる。
【０００４】
商談の場での話を弾ませ、コミュニケーションを活発化することでビジネスへ展開させる試みはこれまでにも知られており、例えば、広告機能を備えた手品カード（特許文献１参照）を挙げることができる。これは、数字当てゲーム用の複数のカードの余白を多く取り、余白部分に広告を記載するものである。
【先行技術文献】
【特許文献】
【０００５】
【特許文献１】実用新案登録第３１１９０１３号公報
【考案の概要】
【考案が解決しようとする課題】
【０００６】
商談の場でのコミュニケーションの活性化の目的に対し、特許文献１の考案は、数字当てゲームにより相手の興味を引くことはできるものの、カードの表示する広告の内容と、数字当てゲームの間に関連性が無い。そのため、商談の場で数字当てゲームを行うことに不自然さがあり、複数のカードを必要とすることから手軽さにも欠け、コミュニケーションの活性化効果が弱いと考えられる。
【０００７】
本考案はこのような問題に対処するためになされたもので、参加者へのイベント内容の周知とともに、参加者同士のコミュニケーション活性化を自然な形で手軽にできる広告媒体を提供することを目的とする。
【課題を解決するための手段】
【０００８】
本考案の広告媒体は、一枚の紙の表面と裏面の両方に印刷が施されている広告媒体であって、上記表面には、広告対象となる複数の事物が、該事物に個別に対応した数字Ａとともに印刷されており、上記裏面は、複数の印刷領域に分かれており、上記複数の印刷領域のそれぞれには、上記表面に印刷された複数の事物の一部が印刷されているとともに、上記数字Ａを導出するための数字Ｂが印刷されていることを特徴とする。
【０００９】
上記数字Ａは、８〜１５のいずれかの数字であり、上記数字Ｂは、１、２、４、８のいずれかの数字であり、上記裏面の上記印刷領域は４つであり、該４つの印刷領域のそれぞれに上記数字Ｂのいずれか１つが個別に印刷されており、
上記４つの印刷領域のそれぞれに印刷されている上記事物は、（１）上記数字Ｂとして１が印刷された領域では、該事物に対応する数字Ａを２進法表記した場合に１の位が１である全ての事物であり、（２）上記数字Ｂとして２が印刷された領域では、該事物に対応する数字Ａを２進法表記した場合に２の位が１である全ての事物であり、（３）上記数字Ｂとして４が印刷された領域では、該事物に対応する数字Ａを２進法表記した場合に４の位が１である全ての事物であり、（４）上記数字Ｂとして８が印刷された領域では、該事物に対応する数字Ａを２進法表記した場合に８の位が１である全ての事物である、ことを特徴とする。
【００１０】
上記裏面は、上記紙の長辺での２つ折りを３回繰り返した状態において、外側を向いている一方の面に上記数字Ｂとして１が、他方の面に上記数字Ｂとして２が表示され、谷折りされた内側の面に上記数字Ｂとして４が、さらにもう一度開いた内側の面に上記数字Ｂとして８が表示されていることを特徴とする。
【００１１】
上記広告媒体を用いて、被験者に上記表面に印刷される複数の事物のうちの一つを選択させた後、上記裏面の複数の印刷領域のそれぞれにおいて、表面にて選択した事物の有無を回答させることで、上記数字Ｂに基づき実演者が被験者の選択した事物の数字Ａを導出して当てることができることを特徴とする。
【考案の効果】
【００１２】
本考案の広告媒体は、一枚の紙の表面と裏面の両方に印刷が施されている広告媒体であり、表面には、広告対象となる複数の事物が、該事物に個別に対応した数字Ａとともに印刷されており、裏面は、複数の印刷領域に分かれており、複数の印刷領域のそれぞれには、表面に印刷された複数の事物の一部が印刷されているとともに、数字Ａを導出するための数字Ｂが印刷されているので、参加者へのイベント内容の周知とともに、数字Ｂを利用して数字Ａを導出して見た目の不思議さを醸し出すことで、参加者同士のコミュニケーション活性化を自然な形で手軽にできる。 
【００１３】
また、数字Ａが８〜１５のいずれかの数字であり、数字Ｂが１、２、４、８のいずれかの数字であり、裏面の印刷領域は４つであり、該４つの印刷領域のそれぞれに数字Ｂのいずれか１つが個別に印刷されており、４つの印刷領域のそれぞれに印刷されている事物が、（１）数字Ｂとして１が印刷された領域では、該事物に対応する数字Ａを２進法表記した場合に１の位が１である全ての事物であり、（２）数字Ｂとして２が印刷された領域では、該事物に対応する数字Ａを２進法表記した場合に２の位が１である全ての事物であり、（３）数字Ｂとして４が印刷された領域では、該事物に対応する数字Ａを２進法表記した場合に４の位が１である全ての事物であり、（４）数字Ｂとして８が印刷された領域では、該事物に対応する数字Ａを２進法表記した場合に８の位が１である全ての事物であるので、数字Ｂを利用して数字Ａを特定のアルゴリズム（２進法利用）により容易に導出できる。
【００１４】
また、広告媒体の裏面は、紙の長辺での２つ折りを３回繰り返した状態において、外側を向いている一方の面に１が、他方の面に２が表示され、谷折りされた内側の面に４が、さらにもう一度開いた内側の面に８が表示されるので、情報の表示が無駄なくできるとともに、折りたたんだチラシを開く動作を交えることで余興的な雰囲気が増すため、更なるコミュニケーションの活性化が期待できる。
【００１５】
また、広告媒体を用いて、被験者に表面に印刷される複数の事物のうちの一つを選択させた後、裏面の複数の印刷領域のそれぞれにおいて、表面にて選択した事物の有無を回答させることで、数字Ｂに基づき実演者が被験者の選択した事物の数字Ａを導出して当てることができるので、手品的要素を楽しみながら、参加者同士での会話が弾み、コミュニケーションの活性化が促進されると同時に、イベント内容への興味もさらに引き立てることができる。
【図面の簡単な説明】
【００１６】
【図１】本考案の広告媒体の一例の表面側を示す平面図である。
【図２】本考案の広告媒体の一例の裏面側を示す平面図である。
【考案を実施するための形態】
【００１７】
本考案は、被験者が選択した事物を実演者が当てる、いわゆる読心手品の要素を有する販促用の広告媒体である。広告媒体には、複数の事物を選択肢として表示することで、あらゆる商品、役務または会社などの広告に適用することができる。特に、各種団体が開催するイベントなどにおいて、好適に使用することができる。なお、本考案の広告媒体の被験者は、上記イベントなどの参加者や、この広告媒体を受け取った人全般である。
【００１８】
図１は、本考案の広告媒体の一実施形態として、飲食関係のイベント向けのチラシの表面を示す図である。チラシ１の表面２には、１２種類のメニューが、１〜１２までの異なる数字とともに表示されている。この数字を、本発明における「数字Ａ」とする。チラシの表面に表示するメニューは、例えば８〜１５種類の範囲内で選択することができる。表示するメニューの種類が少ない場合、本考案を用いて相手の思い浮かべたメニューを当てる手品を行った際の驚きが低減してしまうため、食べ物の数は１０以上とすることが好ましい。また、各メニューに付する数字Ａは、１〜１５の数字の中から異なる数字を自由に選択することができる。また、数字Ａは、メニュー１つに対して１つの数字Ａが対応するような個別の数字である。
【００１９】
選択肢として表示する事物の内容としては、イベント会場で提供する商品や役務に限られず、会社や地域など幅広く選択することができる。また、事物は、文字で表示してもよいし、画像で表示してもよい。
表面の余白部分には、来場者へのメッセージや広告したい内容を記載してもよい。手品により被験者からの興味を引いた後に最も伝えたい内容の話をすることで、単なる広告として情報を伝えた場合に比べ、被験者からの良好な反応が期待される。そのため、余白部分には、被験者に取ってほしいアクションに繋がるような内容を記載することが好ましい。
【００２０】
図２は、図１に示した飲食関係のイベント向けの広告媒体の裏面を示す図である。ここで、一点鎖線は紙面に対して山折り、点線は谷折りとして表記する。裏面５は、４つの印刷領域を備えており、当該４つの印刷領域には、１、２、４、８の大きな数字と、３つの小さな数字と、表面に表示される複数の食べ物のうちの一部が印刷されている。この大きな数字を、本発明における「数字Ｂ」とする。各印刷領域では、その領域における数字Ｂを大きく表示し、残りの３つの数字は小さく表示することで、数字Ｂを目立つようにしている。また、大きく表示する数字Ｂは、４つの印刷領域でそれぞれ異なる。各印刷領域には、１、２、４、８の数字を１つずつ表示しても読心手品を行うことはできるが、各印刷領域にそれぞれ大きさの異なる４つの数字を表示することにより、見る人の心理を撹乱し、手品の不思議さを演出することができる。
【００２１】
裏面に大きく表示する１、２、４、８は２進法における各位の数字である。各印刷領域に表示するメニューは、チラシの表面で各メニューとともに表示した数字Ａを２進法で表した場合に、各印刷領域において大きく表示する数字Ｂの位が１である全てを表示する。
【００２２】
以下に、本チラシを用いて読心手品を行う際の手順を説明する。読心手品を実演する実演者が、手品を体験する被験者に対して、複数のメニューを表示したチラシ表面（図１参照）を見せる。チラシの表面には、１２個のメニューが１〜１２の数字Ａを付して表示されている。実演者は、被験者に、１２個のメニューの中から一つを選択させ、実演者には伝えず、自分の頭の中に思い浮かべておくように指示する。
【００２３】
その後、実演者は、チラシを裏返して裏面を被験者に見せる。実演者は被験者に、当該裏面に印刷された４つの領域を順番に見せていく。その際、各領域に自分の思い浮かべたメニューがあるか否か、実演者に対して回答させる。
裏面の４つの領域は、紙の長辺での２つ折りを３回繰り返した状態から、外側を向いている一方の面６、その反対側の面７、１回開いた内側の面８、さらにもう１回開いた内側の面９の順に、４つの印刷領域を見せていく。
この際、数字Ｂが１である面６には、チラシの表面に表示したメニューのうち、メニューに付した数字Ａを２進法表記した場合に、１の位が１である数字に対応するメニューを表示する。数字Ｂが２である面７には、面６と同様に、２進法表記した場合に、２の位が１である数字に対応するメニューを表示する。また、数字Ｂが４である面８には、２進法表記した場合に、４の位が１である数字に対応するメニューを表示する。また、数字Ｂが８である面９には、２進法表記した場合に、８の位が１である数字に対応するメニューを表示する。
【００２４】
実演者は、被験者が回答した領域とメニューの有無の組み合わせを覚えておく。実演者は、各領域において、被験者が有ると回答した場合、その領域に表示されている数字のうち最も大きく表示されている数字を足し合わせていく。４つの領域において、被験者から回答を得て、数字の合計が分かった段階で、再度表面を見て、合計の数字が付されているメニューを被験者に伝える。
被験者は、実演者が１２もの選択肢の中から、速やかに自分が思い浮かべたメニューを当て、読心されたことに驚き、本手品の仕組みや実演者に対して興味を持つ。上記のような読心手品を通したやり取りが会話のきっかけとなり、メニューを伝えるだけでなく、参加者同士のコミュニケーションが活性化し、追加の特別メニューやサービスを紹介しやすくなることが期待される。
【００２５】
上述したように、各領域は、２進法における各位である１、２、４、８に対応している。表面でのメニューに付した数字を２進法表記した場合、各位の数は０または１となる。例えば、１０進法では１０と表記する数字は、２進法の場合、１０１０と表記される。
ここで、２進法から、１０進法への変換は、２進法表記の数字について、１をあり、０を無し、と読み替えて、各位の数字を足し合わせることにより行う。２進法表記での１０１０を１０進法表記に変換する場合は、１は無し、２はあり、４は無し、８はありと考え、足し合わせることで１０進法表記の１０へと変換される。これを応用して、２進法表記の場合に、各位に１があるメニューは対応する各位の領域にメニューを表示する。最終的に、各領域でのメニューの有無の回答は、１、２、４、８、各位の数字の有無を聞いていることになる。そのため、実演者は、被験者より得た、各位に対応する領域での被験者が思い描いたメニューの有無の回答をもとに、各位の数字を足し合わせることで１０進法での数字へと変換し、表面に示したメニューとそれに付された数字の組み合わせから、被験者が選択したメニューを当てることができる。
【００２６】
以上、各図などに基づき広告媒体の形態を説明したが、本考案の広告媒体の構成は、これに限定されるものではない。
【産業上の利用可能性】
【００２７】
本考案の広告媒体は、参加者へのイベント内容の周知とともに、参加者同士のコミュニケーション活性化を自然な形で手軽にできるので、企業、自治体、事業協同組合などの各種団体が開催する種々の大小イベントなどにおける広告媒体として広く利用できる。
【符号の説明】
【００２８】
１  チラシ（広告媒体）
２  表面
３  事物
４  数字
５  裏面
６〜９  面
【図１】
0003225622.tif 000003
【図２】
0003225622.tif 000004
【手続補正書】
【提出日】令和2年1月8日(2020.1.8)
【手続補正１】
【補正対象書類名】実用新案登録請求の範囲
【補正対象項目名】全文
【補正方法】変更
【補正の内容】
【実用新案登録請求の範囲】
【請求項１】
一枚の紙の表面と裏面の両方に印刷が施されている広告媒体であって、
前記表面には、広告対象となる複数の事物が、該事物に個別に対応した数字Ａとともに印刷されており、
前記裏面は、複数の印刷領域に分かれており、
前記複数の印刷領域のそれぞれには、前記表面に印刷された複数の事物の一部が印刷されているとともに、前記数字Ａを導出するための数字Ｂが印刷されており、
前記数字Ａは、８〜１５のいずれかの数字であり、
前記数字Ｂは、１、２、４、８のいずれかの数字であり、
前記裏面の前記印刷領域は４つであり、該４つの印刷領域のそれぞれに前記数字Ｂのいずれか１つが個別に印刷されており、
前記４つの印刷領域のそれぞれに印刷されている前記事物は、（１）前記数字Ｂとして１が印刷された領域では、該事物に対応する数字Ａを２進法表記した場合に１の位が１である全ての事物であり、（２）前記数字Ｂとして２が印刷された領域では、該事物に対応する数字Ａを２進法表記した場合に２の位が１である全ての事物であり、（３）前記数字Ｂとして４が印刷された領域では、該事物に対応する数字Ａを２進法表記した場合に４の位が１である全ての事物であり、（４）前記数字Ｂとして８が印刷された領域では、該事物に対応する数字Ａを２進法表記した場合に８の位が１である全ての事物であり、
前記裏面は、前記紙の長辺での２つ折りを３回繰り返した状態において、外側を向いている一方の面に前記数字Ｂとして１が、他方の面に前記数字Ｂとして２が表示され、谷折りされた内側の面に前記数字Ｂとして４が、さらにもう一度開いた内側の面に前記数字Ｂとして８が表示されていることを特徴とする広告媒体。
【請求項２】
前記広告媒体を用いて、被験者に前記表面に印刷される複数の事物のうちの一つを選択させた後、
前記裏面の複数の印刷領域のそれぞれにおいて、表面にて選択した事物の有無を回答させることで、前記数字Ｂに基づき実演者が被験者の選択した事物の数字Ａを導出して当てることができることを特徴とする請求項１記載の広告媒体。